(57)【要約】      （修正有）【課題】変形時の耐久性が向上し、かつ金属で形成された部位に設置した場合においても、静電気の発生が低減された病原体不活化シートを提供する。【解決手段】病原体不活化シート１００は、シート構造を有し、シート構造は、二層以上の層構造を有し、層構造のうち、少なくとも一層は、支持体層１１であり、残りの層構造のうち、少なくとも一層は、不活化層１２であり、支持体層は、樹脂を含み、かつ変形可能であり、不活化層は、病原体の不活化成分として、銅を含み、不活化層は、支持体層の両面の少なくとも一方の面に配置されている。【選択図】図１
0003228166.tif 000002
【実用新案登録請求の範囲】
【請求項１】
シート構造を有し、
前記シート構造は、二層以上の層構造を有し、
前記層構造のうち、少なくとも一層は、支持体層であり、
残りの層構造のうち、少なくとも一層は、不活化層であり、
前記支持体層は、樹脂を含み、かつ変形可能であり、
前記不活化層は、病原体の不活化成分として、銅を含み、
前記不活化層は、前記支持体層の両面の少なくとも一方の面に配置されている、病原体不活化シート。
【請求項２】
前記不活化層は、銅箔から構成される、請求項１記載の病原体不活化シート。
【請求項３】
前記銅箔における銅の純度は、９９．９％以上である、請求項２記載の病原体不活化シート。
【請求項４】
前記不活化層の厚さは、０．０１５〜０．０６ｍｍである、請求項１から３のいずれか一項に記載の病原体不活化シート。
【請求項５】
前記支持体層の厚さは、０．５ｍｍ〜１ｍｍである、請求項１から４のいずれか一項に記載の病原体不活化シート。
【請求項６】
前記層構造のうち、少なくとも一層は、接着層であり、
前記接着層は、前記支持体層と前記不活化層との間に配置される、請求項１から５のいずれか一項に記載の病原体不活化シート。
【請求項７】
前記病原体は、ウイルスまたは細菌である、請求項１から６のいずれか一項に記載の病原体不活化シート。
【考案の詳細な説明】
【技術分野】
【０００１】
本考案は、病原体不活化シートに関する。
【背景技術】
【０００２】
インフルエンザウイルス、コロナウイルス等の多種多様な呼吸器感染性のウイルスによる感染症が問題視されている。前記呼吸器感染性ウイルスは、感染者の飛沫を介して拡散し、様々な場所に付着する。前記呼吸器感染性ウイルスは、付着した部位において、数日以上の長期間にわたり生存する。そして、他の人が、前記付着部位に手等で接触すると、手から口を介して、粘膜から他の人に感染する（非特許文献１）。
【先行技術文献】
【非特許文献】
【０００３】
【非特許文献１】東京都福祉保健局、「新型コロナウイルス感染症について」、［online］、東京都、［令和２年７月２日検索］、インターネット＜URL：https://www.fukushihoken.metro.tokyo.lg.jp/smph/iryo/kansen/shingatakorona.html＞
【考案の概要】
【考案が解決しようとする課題】
【０００４】
銅は、細菌およびウイルス等の病原体に対し不活化能を示すことが知られている。このため、銅から形成したシート（銅シート）を、ヒトが頻繁に接触する部位に設置し、銅により病原体を不活化することが考えられる。
【０００５】
しかしながら、銅シートは、変形させた場合に、シートが破断しやすく、また、破断部位が鋭利な形状となるため、接触時に傷害を引き起こす可能性がある。また、銅シートを、金属で形成された部位に設置した場合、銅と金属との摩擦による静電気の発生および銅と金属との接触による銅シートがすぐに摩耗するという問題が生じる。
【０００６】
そこで、本考案は、変形時の耐久性が向上し、かつ金属で形成された部位に設置した場合においても、静電気の発生が低減された病原体不活化シートの提供を目的とする。
【課題を解決するための手段】
【０００７】
前記目的を達成するために、本考案の病原体不活化シート（以下、「不活化シート」ともいう）は、シート構造を有し、
前記シート構造は、二層以上の層構造を有し、
前記層構造のうち、少なくとも一層は、支持体層であり、
残りの層構造のうち、少なくとも一層は、不活化層であり、
前記支持体層は、樹脂を含み、かつ変形可能であり、
前記不活化層は、病原体の不活化成分として、銅を含み、
前記不活化層は、前記支持体層の両面の少なくとも一方の面に配置されている。
【考案の効果】
【０００８】
本考案の不活化シートによれば、変形時の耐久性が向上し、かつ金属で形成された部位に設置した場合においても、静電気の発生が低減される。
【図面の簡単な説明】
【０００９】
【図１】図１は、実施形態１の不活化シートの構成の一例を示す模式図であり、（Ａ）は、実施形態１の不活化シートの模式斜視図であり、（Ｂ）は、（Ａ）におけるＩ−Ｉ方向からみた実施形態１の不活化シートの模式断面図である。
【図２】図２は、実施形態２の不活化シートの構成の一例を示す模式図であり、（Ａ）は、実施形態２の不活化シートの模式斜視図であり、（Ｂ）は、（Ａ）におけるII−II方向からみた実施形態２の不活化シートの模式断面図である。
【図３】図３は、実施形態３の不活化シートの構成の一例を示す模式図であり、（Ａ）は、実施形態３の不活化シートの模式斜視図であり、（Ｂ）は、（Ａ）におけるIII−III方向からみた実施形態２の不活化シートの模式断面図である。
【考案を実施するための形態】
【００１０】
本考案において、「病原体」は、例えば、動物に対する感染性を有する細菌またはウイルスを意味する。前記動物は、例えば、ヒトまたはヒトを除く非ヒト動物があげられる。前記非ヒト動物は、例えば、マウス、ラット、ウサギ、イヌ、ヒツジ、ウマ、ネコ、ヤギ、サル、モルモット等があげられる。
【００１１】
本考案において、前記「病原体不活化」は、例えば、前記病原体が動物に対する感染性が低下または完全になくなることを意味する。前記病原体に対する感染性が低下する場合、前記病原体の不活化は、例えば、病原体の弱毒化ということもできる。
【００１２】
前記病原体がウイルスの場合、前記病原体の不活化は、ウイルスの不活化といえ、例えば抗ウイルス活性ということもできる。前記病原体がウイルスの場合、前記病原体の不活化は、ウイルスの不活化といえ、例えば、抗ウイルスということもできる。また、前記病原体が菌の場合、前記病原体の不活化は、菌の不活化といえ、例えば、抗菌ということもできる。
【００１３】
本考案において、前記ウイルスは、特に制限されず、例えば、エンベロープを有するウイルス、すなわち、エンベロープウイルスでもよいし、エンベロープを有さないウイルス、すなわち、ノンエンベロープウイルスでもよい。また、前記ウイルスは、ＤＮＡウイルスでもよいし、ＲＮＡウイルスでもよい。具体例として、前記エンベロープウイルスは、例えば、ヒトヘルペスウイルス１型（HHV-1、単純ヘルペスウイルス１型（HSV-1））、ヒトヘルペスウイルス２型（HHV-2、単純ヘルペスウイルス２型（HSV-2））、ヒトヘルペスウイルス３型（HHV-3、水痘・帯状疱疹ウイルス（VZV：Varicella Zoster virus））、ヒトヘルペスウイルス４型（HHV-4、エプスタイン・バール・ウイルス（EBV））、ヒトヘルペスウイルス５型（HHV-5、ヒトサイトメガロウイルス（HCMV））、ヒトヘルペスウイルス６型（HHV-6）、ヒトヘルペスウイルス７型（HHV-7）、ヒトヘルペスウイルス８型（HHV-8、カポジ肉腫関連ヘルペスウイルス（KSHV））等のヘルペスウイルス科；天然痘ウイルス（Variola virus）、ワクチニアウイルス（Vaccinia virus）等のポックスウイルス科：B型肝炎ウイルス（Hepatitis B virus等のヘパドナウイルス科；デングウイルス、日本脳炎ウイルス、西ナイルウイルス、ジカウイルス、ダニ媒介性脳炎ウイルス、Ｃ型肝炎ウイルス等のフラビウイルス科；風疹ウイルス等のトガウイルス科；ＳＡＲＳ−Ｃｏｖ、ＳＡＲＳ−Ｃｏｖ−２（ＣＯＶＩＤ−１９）等のコロナウイルス科；インフルエンザウイルス等のオルトミクソウイルス科；麻疹ウイルス、ＲＳウイルス、ヒト免疫不全ウイルス、ヒトＴ細胞白血病ウイルス等のレトロウイルス科；等に属するウイルスがあげられる。前記ノンエンベロープウイルスは、例えば、アデノウイルス１〜５２型（遺伝型）等のアデノウイルス科；ポリオウイルス、Ａ型肝炎ウイルス、ヒトライノウイルスＡ〜Ｃ、エンテロウイルス等のピコルナウイルス科；ノロウイルス等のカリシウイルス科；ロタウイルス等のレオウイルス科：等に属するウイルスがあげられる。
【００１４】
本考案において、前記菌は、例えば、細菌または真菌があげられる。前記細菌は、グラム陰性菌でもよいし、グラム陽性菌でもよい。前記グラム陰性菌は、例えば、エシェリヒア属菌等の腸内細菌科；インフルエンザ菌等のヘモフィルス属；緑膿菌等のシュードモナス属、淋菌、髄膜炎菌等のナイセリア属；アシネトバクター属；サルモネラ属；に属する細菌があげられる。前記グラム陽性菌は、例えば、黄色ブドウ球菌、表皮ブドウ球菌等のブドウ球菌属；エンテロコッカス属；肺炎球菌、溶血連鎖球菌等の連鎖球菌属；炭疽菌等のバシラス属；破傷風菌、ボツリヌス菌等のクロストリジウム属；ジフテリア菌等のコリネバクテリウム属；リステリア属；ラクトバシラス属；ビフィドバクテリウム属；プロピオニバクテリウム属；に属する細菌があげられる。前記真菌は、例えば、白癬菌等のトリコフィトン属；カンジダ・アルビカンス等のカンジダ属；クリプトコッカス属；等に属する真菌があげられる。
【００１５】
本考案において、「シート」は、例えば、膜状のものを意味し、例えば、膜、薄膜、フィルム等ということもできる。また、「シート構造」は、例えば、膜状の構造を意味し、多層構造を意味する。
【００１６】
以下、本考案の不活化シートおよび不活化シートの製造方法について、図面を参照して詳細に説明する。ただし、本考案は、以下の説明に限定されない。なお、以下の図１〜図３において、同一部分には、同一符号を付し、その説明を省略する場合がある。また、図面においては、説明の便宜上、各部の構造は適宜簡略化して示す場合があり、各部の寸法比等は、実際とは異なり、模式的に示す場合がある。また、各実施形態は、特に言及しない限り、互いにその説明を援用できる。
【００１７】
（実施形態１）
本実施形態は、不活化シートおよび不活化シートの製造方法の一例である。図１は、実施形態１の不活化シート１００の構成を示す模式図であり、（Ａ）は、不活化シート１００の模式斜視図であり、（Ｂ）は、（Ａ）におけるＩ−Ｉ方向からみた不活化シート１００の模式断面図である。図１に示すように、不活化シート１００は、二層の層からなるシート構造を有する。前記シート構造は、支持体層１１と、不活化層１２とを備える。不活化層１２は、支持体層１１に積層されている。
【００１８】
支持体層１１は、樹脂を含み、かつ変形可能である。支持体層１１は、不活化層１２を支持することにより、不活化層１２を構成する銅が折り曲げ等の変形時に破断するのを防止する。これにより、支持体層１１は、銅の破断部位が鋭利な形状となり、接触時に傷害を引き起こす可能性を低減できる。また、支持体層１１は、樹脂を含むため、例えば、金属で形成された部位に設置した場合においても、銅と金属との摩擦による静電気の発生および銅と金属との接触による銅シートの摩耗を抑制できる。また、支持体層１１は、樹脂を含むため、例えば、銅を含む不活化層１２が異種の金属と接触した際に生じるガルバニック対による電子の流れを遮断できる。
【００１９】
支持体層１１において、前記樹脂は、変形可能な層を形成可能であればよい。前記「変形可能」は、例えば、折り曲げ等の応力を支持体層１１に加えた際に、支持体層１１が破損せずに形状が変化することを意味する。なお、前記樹脂は、通常変形しうる回数の範囲において、変形可能であればよい。
【００２０】
前記樹脂としては、例えば、柔軟性を有する樹脂を使用できる。具体例として、前記樹脂は、例えば、エチレン酢酸ビニルコポリマー（ＥＶＡ樹脂）等のポリプロピレン樹脂；ポリウレタン樹脂；ポリフェニレンサルファイド樹脂；シリコン樹脂；等があげられる。前記樹脂は、１種類または複数種類の樹脂から構成されている。
【００２１】
支持体層１１の厚さは、例えば、０．１ｍｍ〜４ｍｍであり、支持体層１１の破断を抑制でき、かつ不活化層１２の過度の変形を抑制できることから、好ましくは、０．５ｍｍ〜１．５ｍｍまたは０．５ｍｍ〜１ｍｍである。
【００２２】
本実施形態において、支持体層１１は、１層であるが、複数層から構成してもよい。この場合、各層を構成する樹脂は、同じでもよいし、異なってもよい。
【００２３】
不活化層１２は、病原体の不活化成分として、銅を含む。不活化層１２は、病原体の不活化成分として、銅を含むことにより、不活化シート１００の表面に付着した病原体を不活化できる。具体例として、ＳＡＲＳ−Ｃｏｖ−２は、例えば、銅から構成される不活化層１２上において、約４時間で不活化される。不活化層１２による病原体の不活化は、銅から生じる銅イオンがタンパク質に吸着することによると推定される。なお、前記推定は、本考案を何ら制限しない。また、銅は、例えば、天然素材であり、次亜塩素酸ナトリウム等の化学薬品の抗ウイルス剤と比較して、安全性が高い。また、不活化層１２は、例えば、病原体の不活化成分として、銅を含むため、銅イオンのみを不活化成分として含有させた場合と比較して、病原体の不活化の持続時間を長くできる。
【００２４】
不活化層１２は、銅を含めばよく、銅のみから構成されてもよいし、銅と他の成分とを含んでもよい。具体例として、不活化層１２は、例えば、銅を含む樹脂、銅合金、または純銅等から構成され、病原体の不活化活性が高いことから、純銅から構成されることが好ましい。不活化層１２が、銅合金または純銅から構成される場合、不活化層１２は、例えば、金属層ということもできる。また、不活化層１２が、銅合金または純銅から構成される場合、不活化層１２は、例えば、金属箔から構成されているということもできる。不活化層１２は、例えば、不活化活性を向上できることから、銅箔が好ましく、純銅から形成される銅箔がさらに好ましい。
【００２５】
不活化層１２が他の成分を含む場合、不活化層１２における銅の量は、例えば、８０質量％以上、好ましくは、９０質量％以上、より好ましくは、９５質量％以上、さらに好ましくは、９９質量％以上である。不活化層１２における銅の量は、例えば、１００質量％未満である。
【００２６】
前記銅合金は、銅と他の金属とから構成される。前記他の金属は、例えば、Ａｌ、Ｓｉ、Ｔｉ、Ｃｒ、Ｎｉ、Ｚｎ、Ｇａ、Ｇｅ、Ｙ、Ｚｒ、Ｎｂ、Ｍｏ、Ａｇ、Ｉｎ、Ｓｎ、Ｔａ、Ｗ、Ｐｔ、Ａｕ、Ｆｅ、Ｖ、Ｍｎ、Ｐｄ、Ｉｒ等があげられ、銅の劣化を効果的に防止でき、耐久性をより向上できることから、好ましくは、Ａｌ、Ｓｉ、Ｔｉ、Ｃｒ、Ｎｉ、Ｚｎ、Ｇａ、Ｇｅ、Ｙ、Ｚｒ、Ｎｂ、Ｍｏ、Ａｇ、Ｉｎ、Ｓｎ、Ｔａ、Ｗ、Ｐｔ、Ａｕ等があげられ、より好ましくは、Ａｌ、Ｎｉ、Ｚｎ、Ａｇ、Ｓｎ、Ｐｔ、Ａｕ等があげられ、さらに好ましくは、Ｎｉ、Ｚｎ、Ａｇ、Ｓｎ等があげられる。前記銅合金は、銅と他の金属との固溶体であることが好ましい。前記銅合金に含まれる他の金属は、例えば、１種類でもよいし、複数種類でもよい。
【００２７】
前記銅合金における銅の量は、例えば、８０質量％以上、好ましくは、９０質量％以上、より好ましくは、９５質量％以上、さらに好ましくは、９９質量％以上である。前記銅合金における銅の量は、例えば、１００質量％未満である。
【００２８】
前記純銅は、例えば、純度が、９９．６％以上、９９．９％以上である銅を意味する。前記銅の純度は、例えば、JISH1051:2013に準じて測定できる。
【００２９】
不活化層１２の厚さは、特に制限されず、例えば、病原体の不活化活性の程度に応じて適宜設定できる。不活化層１２の厚みは、例えば、０．０１５ｍｍ〜０．０８ｍｍであり、不活化活性および不活化シート１００の耐久性が向上し、変形時の不活化層１２の破断を抑制しつつ、不活化層１２の変形性を向上できることから、好ましくは、０．０１５〜０．０７ｍｍであり、不活化活性および不活化シート１００の耐久性がより向上し、変形時の不活化層１２の破断をより抑制しつつ、不活化層１２の変形性をより向上できることから、より好ましくは、０．０５ｍｍ〜０．０７ｍｍである。
【００３０】
本実施形態において、不活化層１２は、１層であるが、複数層から構成してもよい。この場合、各層を構成する成分は、同じでもよいし、異なってもよい。
【００３１】
不活化シート１００の厚さは、例えば、０．１２〜５ｍｍ、０．５〜１．５ｍｍである。
【００３２】
本実施形態において、不活化シート１００の形状は、方形状であるが、不活化シート１００の形状は、これに限定されず、円状、多角形状等の任意の形状とできる。
【００３３】
本実施形態において、不活化シート１００のシート構造は、二層の層構造であるが、これに限定されず、不活化シート１００のシート構造は、三層以上の多層構造としてもよい。
【００３４】
つぎに、不活化シート１００の製造方法について説明する。本実施形態の製造方法において、不活化シート１００は、支持体層１１上に、不活化層１２を形成することにより、製造できる。
【００３５】
まず、本実施形態の製造方法においては、支持体層１１を準備する（準備工程）。支持体層１１は、例えば、市販の樹脂フィルムを用いてもよいし、樹脂から膜形成することにより自家調製してもよい。前記膜形成方法は、例えば、インフレーション法、Ｔダイ法等の溶融押出成型法；溶液流延法；カレンダー法；湿式キャスト法；等があげられる。
【００３６】
つぎに、本実施形態の製造方法においては、支持体層１１上に不活化層１２を形成する（不活化層形成工程）。不活化層１２は、例えば、公知の膜形成方法により形成でき、具体例として、塗布法、印刷法（スクリーン法）、蒸着法、スパッタリング法、キャスト法、スピンコート法、ラミネート等により実施できる。不活化層１２は、例えば、銅を含む粒子の吹きつけ、または銅メッキにより形成してもよい。不活化層１２が銅箔の場合、前記不活化層形成工程は、例えば、不活化層１２の変形時の耐久性を向上できることから、ラミネートにより実施されることが好ましい。
【００３７】
なお、本実施形態の製造方法において、支持体層１１と不活化層１２とは別個の工程で形成したが、同時に形成してもよい。この場合、本実施形態の製造方法では、インフレーション法、Ｔダイ法等による共押出法により、支持体層１１および不活化層１２を同時に形成できる。
【００３８】
本実施形態の不活化シート１００によれば、銅を含む不活化層１２が、変形可能な支持体層１１に指示されているため、変形時の耐久性が向上でき、かつ金属で形成された部位に設置した場合においても、静電気の発生が低減できる。このため、本考案の不活化シート１００の設置箇所は、例えば、不特定多数の人が接触する箇所があげられ、具体例として、ドアノブのカバー、手すりのカバー、三叉の水道栓、スーパーのワゴンの持ち手、集荷用荷箱等のケースまたは鞄の持ち手、交通機関のつり革または手すり、エレベーター等の昇降装置のスイッチまたはレバー類等の曲面を有し、シートの形状を変形し適用する箇所に好適に使用できる。また、本実施形態の不活化シート１００は、簡易な構成であり、製造コストが低い。
【００３９】
（実施形態２）
本実施形態は、不活化シートおよび不活化シートの製造方法の他の例である。図２は、実施形態２の不活化シート２００の構成を示す模式図であり、（Ａ）は、不活化シート２００の模式斜視図であり、（Ｂ）は、（Ａ）におけるII−II方向からみた不活化シート２００の模式断面図である。図２に示すように、不活化シート２００は、三層の層構造を有し、実施形態１の不活化シート１００の層構造に加えて、接着層１３を含む。接着層１３は、支持体層１１と不活化層１２との間に配置されている。すなわち、支持体層１１、接着層１３、不活化層１２は、底面側からこの順番で積層されている。この点を除き、実施形態２の不活化シート２００の構成は、実施形態１の不活化シート１００の構成と同様であり、その説明を援用できる。
【００４０】
接着層１３は、支持体層１１および不活化層１２を接着する。接着層１３は、不活化層１２を、接着層１３を介して支持体層１１に接合させればよく、接着の形式は、接着でもよいし、粘着でもよい。接着層１３は、接着の有効成分として、接着剤または粘着剤を含む。前記接着剤または粘着剤は、例えば、アクリル系粘着剤；シリコーン系粘着剤；ゴム系粘着剤；ウレタン系粘着剤；等があげられる。前記接着剤または粘着剤は、自然に優しく、安全性が高いことから、ホルムアルデヒドが低減された接着剤または粘着剤が好ましい。
【００４１】
接着層１３の厚さは、特に制限されず、例えば、前記接着剤または粘着剤の種類、および支持体層１１と不活化層１２との接着強度に応じて適宜設定できる。
【００４２】
つぎに、不活化シート２００の製造方法について説明する。本実施形態の製造方法において、不活化シート２００は、支持体層１１上に、接着層１３を形成した後に、不活化層１２を接着層１３に接触させることにより、製造できる。
【００４３】
まず、実施形態１の製造方法と同様に、支持体層１１を準備する（準備工程）。
【００４４】
つぎに、支持体層１１上に、接着層１３を形成する（接着層形成工程）。接着層１３は、例えば、接着剤または粘着剤を用いて形成でき、具体的には、塗布法、印刷法（スクリーン法）、スピンコート法等により実施できる。接着層１３は、接着層または粘着層を有するシートを支持体層１１に貼り合わせること、すなわち、ラミネートすることにより形成してもよい。
【００４５】
つぎに、接着層１３上に、不活化層１２を形成する（不活化層形成工程）。不活化層１２は、例えば、実施形態１の不活化層形成工程と同様にして形成できる。不活化層１２が銅箔の場合、前記不活化層形成工程は、例えば、不活化層１２の変形時の耐久性を向上できることから、ラミネートにより実施されることが好ましい。
【００４６】
本実施形態の不活化シート２００によれば、銅を含む不活化層１２が、接着層１３を介して支持体層１１に形成されているため、不活化シート２００の変形時に銅を含む不活化層１２の変形時の耐久性がより向上する。本実施形態の不活化シート２００は、特に、実施形態１の不活化シート１００において、粉体またはメッキにより不活化層１２を形成した形態と比較して、不活化層１２の剥離を抑制でき、これにより、病原体の不活化活性の低下を抑制できる。
【００４７】
（実施形態３）
本実施形態は、不活化シートおよび不活化シートの製造方法の他の例である。図３は、実施形態３の不活化シート３００の構成を示す模式図であり、（Ａ）は、不活化シート３００の模式斜視図であり、（Ｂ）は、（Ａ）におけるIII−III方向からみた不活化シート３００の模式断面図である。図３に示すように、不活化シート３００は、五層の層構造を有し、実施形態２の不活化シート２００の構成に加えて、支持体層１１を基準として、不活化層１２および接着層１３の反対側に、不活化層２２および接着層２３を有する。接着層２３は、支持体層１１の下面、すなわち、支持体層１１における接着層１３との接触面と反対側の面に配置されれている。また、不活化層２２は、接着層２３の下面、すなわち、接着層２３における支持体層１１との接触面と反対側の面に配置されれている。このため、不活化層２２、接着層２３、支持体層１１、接着層１３、および不活化層１２は、底面側からこの順番で積層されている。この点を除き、実施形態３の不活化シート３００の構成は、実施形態２の不活化シート２００の構成と同様であり、その説明を援用できる。
【００４８】
本実施形態の不活化シート３００によれば、銅を含む不活化層１２、２２が、支持体層１１を基準として両面方向に形成されているため、例えば、使用時に支持体層１１および不活化層１２の方向を確認せずに使用できる。このため、本実施形態の不活化シート３００は、例えば、携帯用の不活化シートとして好適に使用できる。
【実施例】
【００４９】
つぎに、本考案の実施例について説明する。ただし、本考案は、以下の実施例により制限されない。市販の試薬は、特に示さない限り、それらのプロトコールに基づいて使用した。
【００５０】
［実施例１］
本考案の不活化シートが、銅箔と比較して耐久性が向上していることを確認した。
【００５１】
純度９９．９％以上の純銅を延ばし、厚さ約０．０６ｍｍの銅箔を作製した。得られた銅箔を、シリコン樹脂製のフィルム（厚さ約１ｍｍ）に、接着剤を介して接着することにより、実施例１の不活化シートを作製した。比較例１の不活化シートは、厚さ約０．０６ｍｍの銅箔とした。
【００５２】
そして、前記実施例１の不活化シートおよび比較例１の不活化シートについて、複数回折り曲げることにより亀裂が生じるかを確認した。この結果、比較例１の不活化シートでは、数回で銅箔に亀裂が生じるのに対して、実施例１の不活化シートでは、同程度の回数の折曲げにおいては、銅箔の亀裂は生じなかった。
【００５３】
これらの結果から、本考案の不活化シートが、支持体層を設けることにより、変形時の耐久性が向上されていることがわかった。
【００５４】
以上、実施形態および実施例を参照して本考案を説明したが、本考案は、上記実施形態および実施例に限定されるものではない。本考案の構成や詳細には、本願考案のスコープ内で当業者が理解しうる様々な変更をすることができる。
【００５５】
＜付記＞
上記の実施形態および実施例の一部または全部は、以下の付記のように記載されうるが、以下には限られない。
（付記１）
シート構造を有し、
前記シート構造は、二層以上の層構造を有し、
前記層構造のうち、少なくとも一層は、支持体層であり、
残りの層構造のうち、少なくとも一層は、不活化層であり、
前記支持体層は、樹脂を含み、かつ変形可能であり、
前記不活化層は、病原体の不活化成分として、銅を含み、
前記不活化層は、前記支持体層の両面の少なくとも一方の面に配置されている、病原体不活化シート。
（付記２）
前記不活化層は、銅箔から構成される、付記１記載の病原体不活化シート。
（付記３）
前記銅箔における銅の純度は、９９．９％以上である、付記２記載の病原体不活化シート。
（付記４）
前記不活化層の厚さは、０．０１５〜０．０６ｍｍである、付記１から３のいずれかに記載の病原体不活化シート。
（付記５）
前記支持体層の厚さは、０．５ｍｍ〜１ｍｍである、付記１から４のいずれかに記載の病原体不活化シート。
（付記６）
前記層構造のうち、少なくとも一層は、接着層であり
前記接着層は、前記支持体層と前記不活化層との間に配置される、付記１から５のいずれかに記載の病原体不活化シート。
（付記７）
前記病原体は、ウイルスまたは細菌である、付記１から６のいずれかに記載の病原体不活化シート。
【産業上の利用可能性】
【００５６】
以上説明したように、本考案の不活化シートによれば、変形時の耐久性が向上し、かつ金属で形成された部位に設置した場合においても、静電気の発生が低減される。したがって、本考案は、例えば、日用品等の分野において、極めて有用といえる。
【図１】
0003228166.tif 000003
【図２】
0003228166.tif 000004
【図３】
0003228166.tif 000005